(57)【要約】【課題】個別ガス器具のガス消費量を簡単に判明できるガス燃焼器具を提供することを目的とする。【解決手段】ガスバーナ５と、そのガスバーナ５へガスを供給するガス通路中に設けられたガス弁９と、ガスバーナ５の燃焼制御を行う燃焼制御回路４と、この燃焼制御回路４に設けられたガス消費量計測回路とを備えものであり、この構成によれば、簡単にガス消費量計測できるので、ガスメータなしでガス燃焼器具自体のガス消費量を判明することができる。【選択図】図２
2007147219.tif 000002
【特許請求の範囲】
【請求項１】
ガスバーナと、そのガスバーナへガスを供給するガス通路中に設けられたガス弁と、ガスバーナの燃焼制御を行う燃焼制御回路と、この燃焼制御回路に設けられたガス消費量計測回路とを備えたガス燃焼器具。
【請求項２】
ガス消費量計測回路はガス消費量積算回路とした請求項１記載のガス燃焼器具。
【請求項３】
ガス消費量計測回路はその計測値や積算値を表示するガス消費量表示装置を有する請求項１記載のガス燃焼器具。
【請求項４】
ガス消費量計測回路は外部よりリセット、または、一定期間でリセットできるようにした請求項１記載のガス燃焼器具。
【請求項５】
ガス消費量計測回路はその計測値や積算値を電文により読み出し、書き込みができるようにした請求項１記載のガス燃焼器具。
【請求項６】
ガス消費量計測回路はその計測値や積算値を無線回路により受信または発信または受発信できるようにした請求項１記載のガス燃焼器具。
【請求項７】
ガス消費量計測回路はその積算値をガス料金等に換算でき、また、その換算式は書き換えることも可能とした請求項１記載のガス燃焼器具。
【請求項８】
ガス消費量計測回路はガス弁の電流電圧を検出するようにした請求項１記載のガス燃焼器具。
【請求項９】
ガス消費量計測回路はガス弁の電流電圧を検出し、時間により積算できるようにした請求項１記載のガス燃焼器具。
【請求項１０】
ガス弁はガス圧力調整機能を有する請求項１記載のガス燃焼器具。
【請求項１１】
ガス消費量計測回路はガス圧力を加味し、ガス消費計測値や積算値を算出するようにした請求項１記載のガス燃焼器具。
【請求項１２】
ガス消費量計測回路はガス温度を加味し、ガス消費計測値や積算値を算出するようにした請求項１記載のガス燃焼器具。
【発明の詳細な説明】
【技術分野】
【０００１】
本発明はガス消費量を判明できるガス燃焼器具に関するものである。
【背景技術】
【０００２】
従来、ガス燃焼器具のガス消費量は、ガスメータのガス量積算値の表示により判明している。また、複数のガス燃焼器具がある場合は、そのガス流量の時間変化により各燃焼器具別に推定しているものもある（例えば、特許文献１参照）。
【０００３】
これは、ガスメータにおいて、更に、予め定められた一定流量の使用増加があった場合、ある特定器具が使用されたものと判断し、特定器具の使用開始後、所定時間経過した時に、超過時間タイマにより、前記使用増加に相当する流量を、超過流量積算部を駆動して前記特定器具のガス使用量を別に積算するものである。
【特許文献１】特開平６−１２３６４９号公報
【発明の開示】
【発明が解決しようとする課題】
【０００４】
しかしながら、前記従来の構成では、特定のガス燃焼器具のガス消費量を判明するためには、ガスメータを通して設置する必要があるので、ガス燃焼器具毎にガスメータが必要である。また、予め定められた一定流量の使用増加があった場合、ある特定器具が使用されたものと判断してガス消費量を判明するものにあっては、複数のガス燃焼器具をランダムに使用された場合、ある特定器具のものか判断できずガス消費量が不正確であるという課題を有していた。
【０００５】
本発明は、前記従来の課題を解決するもので、ガス器具別に正確なガス消費量を判明可能としたガス燃焼器具を提供することを目的とする。
【課題を解決するための手段】
【０００６】
前記従来の課題を解決するために、本発明のガス燃焼器具は、燃焼制御回路にガス消費量計測回路を設けたものである。
【０００７】
これによって、そのガス燃焼器具のガス消費量はガスメータなしで判明できる。
【０００８】
また、本発明のガス燃焼器具は、ガス弁の電流電圧を検出するガス消費量計測回路を有する。これによって、従来ガスメータのようなダイアフラム機構なしで簡単にガス消費量を電気信号として読み取ることができる。
【発明の効果】
【０００９】
本発明のガス燃焼器具は、そのガス燃焼器具自体のガス消費量を判明することができるものである。
【発明を実施するための最良の形態】
【００１０】
第１の発明は、燃焼制御を行う制御回路にガス消費量計測回路を設けることにより、簡単にその燃焼器具のガス消費量計測できるので、ガスメータなしでそのガス燃焼器具自体のガス消費量を判明することができる。
【００１１】
第２の発明は、特に、第１の発明であるガス燃焼器具のガス消費量計測回路をガス消費量積算回路とすることにより、時間毎のガス消費量計測値を積算するので、例えば毎月の
ガス消費量積算値を判明することができる。
【００１２】
第３の発明は、特に、第１の発明であるガス燃焼器具にガス消費量計測値や積算値を表示するガス消費量表示装置を有することにより、使用者がガス消費量や積算値を判明することが容易となり、例えば、その時のガス消費量や毎月のガス消費量積算値を認知することができる。
【００１３】
第４の発明は、特に、第１の発明であるガス燃焼器具のガス消費量計測回路を外部よりリセット、または、一定期間でリセットできるものとすることにより過去のデータをクリアーできるので、例えば過去のガス消費量積算値をクリアーし新たに今月のガス消費量積算値を容易に判明することができる。
【００１４】
第５の発明は、特に、第１の発明であるガス燃焼器具のガス消費量計測回路を、ガス消費量計測値や積算値を電文により読み出し、書き込みができるものとすることにより、外部との通信ができるので、毎月のガス消費量積算値を容易に判明することができる。
【００１５】
第６の発明は、特に、第１の発明であるガス燃焼器具のガス消費量計測回路を、ガス消費量計測値や積算値を無線回路により受信または発信または受発信できるので、離れた場所から無線通信が行え、ガス消費量積算値を集中して管理することができる。
【００１６】
第７の発明は、特に、第１の発明であるガス燃焼器具のガス消費量計測回路を、ガス消費量積算値をガス料金等に換算でき、また、その換算式は書き換えることも可能としたことにより、使用者はガス消費量積算値をガス料金として認識できるので、例えば今月のガス料金を容易に判明することができる。
【００１７】
第８の発明は、特に、第１の発明であるガス燃焼器具のガス消費量計測回路を、ガス弁の電流電圧を検出するものとしたことにより、従来ガスメータのようにダイアフラムで測定するような複雑さがなくなるので、簡単な回路でガス消費量値を容易に判明することができる。
【００１８】
第９の発明は、特に、第１の発明であるガス燃焼器具のガス消費量計測回路を、ガス弁の電流電圧を検出し、時間により積算できるものとしたことによりガス消費量積算値を容易に判明することができる。
【００１９】
第１０の発明は、特に、第１の発明であるガス燃焼器具のガス弁を、ガス圧力調整機能を有するものとすることにより、ガス流量を測定することによりガス消費量が判明でき、正確なガス消費量積算値判明することができる。
【００２０】
第１１の発明は、特に、第１の発明であるガス燃焼器具のガス消費量計測回路を、ガス圧力を加味し、ガス消費計測値や積算値を算出することにより、ガス消費量積算値を正確に判明することができる。
【００２１】
第１２の発明は、特に、第１の発明であるガス燃焼器具のガス消費量計測回路を、ガス温度を加味し、ガス消費計測値や積算値を算出するので、温度によるガス容積の差をなくすことが出来、正確にガス消費量積算値を判明することができる。
【００２２】
以下、本発明の実施の形態について、図面を参照しながら説明する。なお、この実施の形態によって本発明が限定されるものではない。
【００２３】
（実施の形態１）
図１において、１はガスボンベ、２はマイコンメータ、３はガス燃焼器具であるガスファンヒータ、４は燃焼制御回路、５はガスバーナ、６，７は別のガス器具である。
【００２４】
前記燃焼制御回路４において、８はガス消費量表示装置を兼ねる表示装置、９は圧力式比例弁などのガス弁、１０はガス弁９の電流を制御し、検出する抵抗である。
【００２５】
また、１１は最小燃焼量を調整するボリューム、１２は最大燃焼量を調整するボリューム、１３は最小及び最大燃焼量を調整し、その後、自動的に燃焼量を制御に切り替えるアナログスイッチ、１４は燃焼制御及びガス消費量計測等を演算、制御、記憶するマイクロコンピュータ、１５は室温を検出する温度検出素子、１６は燃焼を設定するボリューム、１７はガス弁９の電流値を読み取るブァッファを示す。
【００２６】
燃焼制御回路４は設定温度と室温により燃焼量を制御するものであり、ガス消費量計測回路と有機的に関連してガス燃焼器具であるガスファンヒータ３を構成している。
【００２７】
以上のように構成されたガスファンヒータ３について、以下その作用を説明する。
【００２８】
まず、ガスファンヒータ３の製造時、最大燃焼量と最小燃焼量が設定される。これは、ガス弁等のばらつきを調整するためで、アナログスイッチ１３のノッチを切り替え、ボリューム１２により行われる。
【００２９】
また、ここで最大燃焼量と最小燃焼量のガス弁の電流値がマイクロコンピュータ１４に記憶される。通常使用時はアナログスイッチ１３のノッチはセンター(図２記載の位置)に固定され、室温と設定温度の差により、ガス弁９の電流を変えて燃焼量を制御する。
【００３０】
この電流値はガス消費量計測回路の一部であるブァッファ１７により読み取られる。マイコン１４はこの電流値を前記最大燃焼量と最小燃焼量の電流値との相関によりガス消費量として算出し、表示装置８に表示を行う。
【００３１】
以上のように、本実施の形態においては燃焼制御を行う制御回路にガス消費量計測回路設けることにより、簡単な構成でガス消費量を計測することができる。
【００３２】
また、本実施の形態では、ガス消費量積算回路とし、時間毎のガス消費量計測値を積算し、例えば毎月のガス消費量積算値を判明することができる。
【００３３】
また、ガス消費量表示装置により、その時のガス消費量やガス消費量積算値を知ることができる。さらに、リセット可能であり(リセット端子は図示していない)、毎月のガス消費量積算値として利用することができる。
【００３４】
さらに、ガス消費量積算値等を電文により読み出しができるので、管理人室から各戸の個別のガス消費量積算値を管理でき、月毎の請求が可能となる。ガス消費量やガス消費量積算値を無線回路により通信することで、集中管理等も可能となる。
【００３５】
また、ガス消費量積算値をガス料金に換算することにより、使用者は生活費の管理もやり易くなる。これらの換算値は外部からも設定可能あり、ガス料金の変動や割引にも対応可能である。
【００３６】
さらに、ガス消費量計測回路はガス弁の電流電圧を検出するものであり、ガス消費量計測値を簡単に測定できる。
【００３７】
また、時間単位での電流電圧値を積算することによりガス消費量積算値として記憶できるので、従来のようなガスメータが不要で省スペース、省資源ともなる。
【００３８】
また、ガス弁はガス圧力調整機能を有する圧力式比例弁としているので、ガス流量のみの測定でガス容量が可能であり、正確な測定ができる。さらに、別にガス圧力やガス温度を加味して補正するのでさらに精度の良い測定ができる。
【００３９】
尚、本実施の形態ではガスファンヒータにより説明したが、ガス床暖房器等のオンオフ制御の場合もガス弁をオンするオン時間を測定することでガス消費量積算が可能となる。また、ガステーブル等のステッピングモータによるガス量切り替えもその制御位置を確認することにより、ガス消費量積算が可能となる。
【産業上の利用可能性】
【００４０】
以上のように、本発明にかかるガス燃焼器具は、ガス消費量の計測が可能となるので、集合アパート等の個別ガス器具使用や個別ガス器具の料金割引の用途にも適用できる。
【図面の簡単な説明】
【００４１】
【図１】本発明の実施の形態１におけるガス燃焼器具の全体図
【図２】本発明の実施の形態１における燃焼制御回路の構成概略図
【符号の説明】
【００４２】
４  燃焼制御回路
５  ガスバーナ
８  表示装置
９  ガス弁
【図１】
2007147219.tif 000003
【図２】
2007147219.tif 000004